【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
第１の画像において第２の階調を表示し且つ第２の画像において第１の階調を表示する第１の画素、前記第１の画像及び前記第２の画像において前記第２の階調を表示する第２の画素、前記第１の画像において前記第１の階調を表示し且つ前記第２の画像において前記第２の階調を表示する第３の画素、及び前記第１の画像及び前記第２の画像において前記第１の階調を表示する第４の画素を含む表示部と、
前記第１の画素に形成された第１の画素電極、前記第２の画素に形成された第２の画素電極、前記第３の画素に形成された第３の画素電極、及び前記第４の画素に形成された第４の画素電極と、
前記第１の画素電極、前記第２の画素電極、前記第３の画素電極、及び前記第４の画素電極に対向する共通電極と、
前記第１の画素電極、前記第２の画素電極、前記第３の画素電極、及び前記第４の画素電極と、前記共通電極との間に配置された電気泳動粒子と、を有する表示部を備え、
前記表示部に表示される画像を、前記第１の画像から前記第２の画像へ変更する切り替え期間は、第１の期間、第２の期間、第３の期間、第４の期間を含み、
前記第１の期間において、前記第１の画素及び前記第２の画素は、前記第２の階調から前記第１の階調に書き換えられ、
前記第２の期間において、前記第１、第２、第３、第４の画素は、前記第１の階調から前記第２の階調に書き換えられ、
前記第３の期間において、前記第１、第２、第３、第４の画素は、前記第２の階調から前記第１の階調に書き換えられ、
前記第４の期間において、前記第２の画素及び前記第３の画素は、前記第１の階調から前記第２の階調に書き換えられ、
前記第１の期間において、前記第１の画素電極と前記共通電極との間、及び前記第２の画素電極と前記共通電極との間には電位差が発生し、前記第３の画素電極及び前記第４の画素電極には前記共通電極と同電位が印加されることを特徴とする電気泳動表示装置。
【請求項２】
前記電気泳動粒子は、前記第１の階調の第１の電気泳動粒子と前記第２の階調の第２の電気泳動粒子とを含むことを特徴とする請求項１に記載の電気泳動表示装置。
【請求項３】
前記第１の電気泳動粒子は負に帯電し、前記第２の電気泳動粒子は正に帯電していることを特徴とする請求項２に記載の電気泳動表示装置。
【請求項４】
前記第１の階調は白であり、前記第２の階調は黒であることを特徴とする請求項１乃至３のいずれか一項に記載の電気泳動表示装置。
【請求項５】
前記第１の期間と前記第４の期間との間において、前記第２及び第３の期間からなる期間の動作が複数回繰り返されることを特徴とする請求項１乃至４のいずれか一項に記載の電気泳動表示装置。
【請求項６】
請求項１乃至５のいずれか一項に記載の電気泳動表示装置を備えた電子機器。
【請求項７】
第１の画像において第２の階調を表示し且つ第２の画像において第１の階調を表示する第１の画素、前記第１の画像及び前記第２の画像において前記第２の階調を表示する第２の画素、前記第１の画像において前記第１の階調を表示し且つ前記第２の画像において前記第２の階調を表示する第３の画素、及び前記第１の画像及び前記第２の画像において前記第１の階調を表示する第４の画素を含む表示部と、前記第１の画素に形成された第１の画素電極、前記第２の画素に形成された第２の画素電極、前記第３の画素に形成された第３の画素電極、及び前記第４の画素に形成された第４の画素電極と、前記第１の画素電極、前記第２の画素電極、前記第３の画素電極、及び前記第４の画素電極に対向する共通電極と、前記第１の画素電極、前記第２の画素電極、前記第３の画素電極、及び前記第４の画素電極と、前記共通電極との間に配置された電気泳動粒子と、を有する表示部を備えた電気泳動表示装置の駆動方法であって、
前記表示部に表示される画像を、前記第１の画像から前記第２の画像へ変更する切り替え期間において、第１ステップ、第２ステップ、第３ステップ、第４ステップを実行し、
前記第１ステップにおいて、前記第１の画素及び前記第２の画素を、前記第２の階調から前記第１の階調に書き換え、
前記第２ステップにおいて、前記第１、第２、第３、第４の画素を、前記第１の階調から前記第２の階調に書き換え、
前記第３ステップにおいて、前記第１、第２、第３、第４の画素を、前記第２の階調から前記第１の階調に書き換え、
前記第４ステップにおいて、前記第２の画素及び前記第３の画素を、前記第１の階調から前記第２の階調に書き換え、
前記第１ステップにおいて、前記第１の画素電極と前記共通電極との間、及び前記第２の画素電極と前記共通電極との間には電位差が発生し、前記第３の画素電極及び前記第４の画素電極には前記共通電極と同電位が印加されることを特徴とする電気泳動表示装置の駆動方法。
【請求項８】
前記第１ステップと前記第４ステップとの間において、前記第２及び前記第３ステップからなる動作を複数回繰り返すことを特徴とする請求項７に記載の電気泳動表示装置の駆動方法。
【請求項９】
第１の画像において第２の階調を表示し且つ第２の画像において第１の階調を表示する第１の画素、前記第１の画像及び前記第２の画像において前記第２の階調を表示する第２の画素、前記第１の画像において前記第１の階調を表示し且つ前記第２の画像において前記第２の階調を表示する第３の画素、及び前記第１の画像及び前記第２の画像において前記第１の階調を表示する第４の画素を含む表示部と、前記第１の画素に形成された第１の画素電極、前記第２の画素に形成された第２の画素電極、前記第３の画素に形成された第３の画素電極、及び前記第４の画素に形成された第４の画素電極と、前記第１の画素電極、前記第２の画素電極、前記第３の画素電極、及び前記第４の画素電極に対向する共通電極と、前記第１の画素電極、前記第２の画素電極、前記第３の画素電極、及び前記第４の画素電極と、前記共通電極との間に配置された電気泳動粒子と、を有する表示部を備えた電気泳動表示装置を制御するためのコントローラであって、
前記表示部に表示される画像を、前記第１の画像から前記第２の画像へ変更する切り替え期間において、第１ステップ、第２ステップと、第３ステップ、第４ステップを実行し、
前記第１ステップにおいて、前記第１の画素及び前記第２の画素を、前記第２の階調から前記第１の階調に書き換え、
前記第２ステップにおいて、前記第１、第２、第３、第４の画素を、前記第１の階調から前記第２の階調に書き換え、
前記第３ステップにおいて、前記第１、第２、第３、第４の画素を、前記第２の階調から前記第１の階調に書き換え、
前記第４ステップにおいて、前記第２の画素及び前記第３の画素を、前記第１の階調から前記第２の階調に書き換え、
前記第１ステップにおいて、前記第１の画素電極と前記共通電極との間、及び前記第２の画素電極と前記共通電極との間には電位差が発生し、前記第３の画素電極及び前記第４の画素電極には前記共通電極と同電位が印加されるよう前記電気泳動表示装置を制御することを特徴とするコントローラ。
【請求項１０】
前記電気泳動表示装置は、前記第１の画素電極、前記第２の画素電極、前記第３の画素電極、及び前記第４の画素電極に電圧を供給する駆動回路を備え、
前記駆動回路を制御することにより前記第１の画素、前記第２の画素、前記第３の画素、及び前記第４の画素の表示を書き換えることを特徴とする請求項９に記載のコントローラ。
【請求項１１】
前記第１ステップと前記第４ステップとの間において、前記第２及び前記第３ステップからなる動作を複数回繰り返すことを特徴とする請求項１０に記載のコントローラ。
【手続補正２】
【補正対象書類名】明細書
【補正対象項目名】０００７
【補正方法】変更
【補正の内容】
【０００７】
本発明に係る電気泳動表示装置は、第１の画像において第２の階調を表示し且つ第２の画像において第１の階調を表示する第１の画素、前記第１の画像及び前記第２の画像において前記第２の階調を表示する第２の画素、前記第１の画像において前記第１の階調を表示し且つ前記第２の画像において前記第２の階調を表示する第３の画素、及び前記第１の画像及び前記第２の画像において前記第１の階調を表示する第４の画素を含む表示部と、前記第１の画素に形成された第１の画素電極、前記第２の画素に形成された第２の画素電極、前記第３の画素に形成された第３の画素電極、及び前記第４の画素に形成された第４の画素電極と、前記第１の画素電極、前記第２の画素電極、前記第３の画素電極、及び前記第４の画素電極に対向する共通電極と、前記第１の画素電極、前記第２の画素電極、前記第３の画素電極、及び前記第４の画素電極と、前記共通電極との間に配置された電気泳動粒子と、を有する表示部を備え、前記表示部に表示される画像を、第１の画像から第２の画像へ変更する切り替え期間は、第１の期間、第２の期間、第３の期間、第４の期間を含み、前記第１の期間において、前記第１の画素及び前記第２の画素は、前記第２の階調から前記第１の階調に書き換えられ、前記第２の期間において、前記第１、第２、第３、第４の画素は、前記第１の階調から前記第２の階調に書き換えられ、前記第３の期間において、前記第１、第２、第３、第４の画素は、前記第２の階調から前記第１の階調に書き換えられ、前記第４の期間において、前記第２の画素及び前記第３の画素は、前記第１の階調から前記第２の階調に書き換えられ、前記第１の期間において、前記第１の画素電極と前記共通電極との間、及び前記第２の画素電極と前記共通電極との間には電位差が発生し、前記第３の画素電極及び前記第４の画素電極には前記共通電極と同電位が印加されるものである。
【手続補正３】
【補正対象書類名】明細書
【補正対象項目名】０００９
【補正方法】変更
【補正の内容】
【０００９】
また、前記電気泳動粒子は、前記第１の階調の第１の電気泳動粒子と前記第２の階調の第２の電気泳動粒子とを含むことが望ましい。
また、前記第１の電気泳動粒子は負に帯電し、前記第２の電気泳動粒子は正に帯電しているようにしてもよい。
また、前記第１の階調は白であり、前記第２の階調は黒であるようにすることができる。
また、前記第１の期間と前記第４の期間との間において、前記第２及び第３の期間からなる期間の動作が複数回繰り返されることが望ましい。
【手続補正４】
【補正対象書類名】明細書
【補正対象項目名】００１１
【補正方法】変更
【補正の内容】
【００１１】
本発明に係る電気泳動表示装置の駆動方法は、第１の画像において第２の階調を表示し且つ第２の画像において第１の階調を表示する第１の画素、前記第１の画像及び前記第２の画像において前記第２の階調を表示する第２の画素、前記第１の画像において前記第１の階調を表示し且つ前記第２の画像において前記第２の階調を表示する第３の画素、及び前記第１の画像及び前記第２の画像において前記第１の階調を表示する第４の画素を含む表示部と、前記第１の画素に形成された第１の画素電極、前記第２の画素に形成された第２の画素電極、前記第３の画素に形成された第３の画素電極、及び前記第４の画素に形成された第４の画素電極と、前記第１の画素電極、前記第２の画素電極、前記第３の画素電極、及び前記第４の画素電極に対向する共通電極と、前記第１の画素電極、前記第２の画素電極、前記第３の画素電極、及び前記第４の画素電極と、前記共通電極との間に配置された電気泳動粒子と、を有する表示部を備えた電気泳動表示装置の駆動方法であって、前記表示部に表示される画像を、第１の画像から第２の画像へ変更する切り替え期間において、第１ステップ、第２ステップ、第３ステップ、第４ステップを実行し、前記第１ステップにおいて、前記第１の画素及び前記第２の画素を、前記第２の階調から前記第１の階調に書き換え、前記第２ステップにおいて、前記第１、第２、第３、第４の画素を、前記第１の階調から前記第２の階調に書き換え、前記第３ステップにおいて、前記第１、第２、第３、第４の画素を、前記第２の階調から前記第１の階調に書き換え、前記第４ステップにおいて、前記第２の画素及び前記第３の画素を、前記第１の階調から前記第２の階調に書き換え、前記第１ステップにおいて、前記第１の画素電極と前記共通電極との間、及び前記第２の画素電極と前記共通電極との間には電位差が発生し、前記第３の画素電極及び前記第４の画素電極には前記共通電極と同電位が印加されるものである。
これにより、切り替え期間において、電気泳動素子に繰り返し同じ電圧が印加されて同じ階調を表示し続けることが緩和され、電気泳動粒子の電圧遮断後の保持特性の低下による残像を軽減することができる。
また、前記第１ステップと前記第４ステップとの間において、前記第２及び前記第３ステップからなる動作を複数回繰り返すことが望ましい。
【手続補正５】
【補正対象書類名】明細書
【補正対象項目名】００１２
【補正方法】変更
【補正の内容】
【００１２】
本発明に係るコントローラは、第１の画像において第２の階調を表示し且つ第２の画像において第１の階調を表示する第１の画素、前記第１の画像及び前記第２の画像において前記第２の階調を表示する第２の画素、前記第１の画像において前記第１の階調を表示し且つ前記第２の画像において前記第２の階調を表示する第３の画素、及び前記第１の画像及び前記第２の画像において前記第１の階調を表示する第４の画素を含む表示部と、前記第１の画素に形成された第１の画素電極、前記第２の画素に形成された第２の画素電極、前記第３の画素に形成された第３の画素電極、及び前記第４の画素に形成された第４の画素電極と、前記第１の画素電極、前記第２の画素電極、前記第３の画素電極、及び前記第４の画素電極に対向する共通電極と、前記第１の画素電極、前記第２の画素電極、前記第３の画素電極、及び前記第４の画素電極と、前記共通電極との間に配置された電気泳動粒子と、を有する表示部を備えた電気泳動表示装置を制御するためのコントローラであって、前記表示部に表示される画像を、第１の画像から第２の画像へ変更する切り替え期間において、第１ステップ、第２ステップと、第３ステップ、第４ステップを実行し、前記第１ステップにおいて、前記第１の画素及び前記第２の画素を、前記第２の階調から前記第１の階調に書き換え、前記第２ステップにおいて、前記第１、第２、第３、第４の画素を、前記第１の階調から前記第２の階調に書き換え、前記第３ステップにおいて、前記第１、第２、第３、第４の画素を、前記第２の階調から前記第１の階調に書き換え、前記第４ステップにおいて、前記第２の画素及び前記第３の画素を、前記第１の階調から前記第２の階調に書き換え、前記第１ステップにおいて、前記第１の画素電極と前記共通電極との間、及び前記第２の画素電極と前記共通電極との間には電位差が発生し、前記第３の画素電極及び前記第４の画素電極には前記共通電極と同電位が印加されるよう前記電気泳動表示装置を制御するものである。
これにより、切り替え期間において、電気泳動素子に繰り返し同じ電圧が印加されて同じ階調を表示し続けることが緩和され、電気泳動粒子の電圧遮断後の保持特性の低下による残像を軽減することができる。
また、前記電気泳動表示装置は、前記第１の画素電極、前記第２の画素電極、前記第３の画素電極、及び前記第４の画素電極に電圧を供給する駆動回路を備え、
前記駆動回路を制御することにより前記第１の画素、前記第２の画素、前記第３の画素、及び前記第４の画素の表示を書き換えることが望ましい。
また、前記第１ステップと前記第４ステップとの間において、前記第２及び前記第３ステップからなる動作を複数回繰り返すことが望ましい。